(57)【要約】      （修正有）【課題】埋設杭引き抜き機の起動により確実で簡単に、しかも短時間に埋設杭を引き抜く治具を提供する。【解決手段】埋設杭の周囲の地盤が水を用いて掘削された状態の杭頭部分の外周壁に容易に案内する下端に下端開口部を有し、内壁に下端開口部から上端面の中心部に穿設した貫通孔の円周縁に向かって内部空間を狭くなる裁頭ガイド空間に形成したガイド円筒体３と、該ガイド円筒体の上端面の貫通孔を含み該ガイド円筒体と一体に設けたカバー兼補強角筒体１０を載置し、該カバー兼補強角筒体の両外側壁の中心部に埋設杭の外周壁面を対称位置で挟持するクランプ１７の挟持、解除を容易に操作するために装着したクランプ装着部１４を一体に設けると共に、上記カバー兼角筒体両外壁に前記クランプ可動用のクランプ規制孔１３を穿設し、また前記クランプ装着部のクランプ軸取付け板１５の上端縁に先端に向かって狭くなる櫓状のチャンネル体２６の下端を一体に固定する。【選択図】図１
0003167087.tif 000002
【実用新案登録請求の範囲】
【請求項１】
地中に埋設されている埋設杭を引き抜く治具において、引き抜く埋設杭の杭頭部分に下端開口部から上端面中心部に設けた貫通孔の円周縁間に形成した前記埋設杭の杭頭部分を案内挿入するガイド円筒体と、該ガイド円筒体の上端面に上記貫通孔を含む大きさに形成し、かつ左右の側壁中心部に対称に配設したクランプ規制孔を有するカバー兼補強角筒体と、該カバー兼補強角筒体の左右の上記側壁中心部の外方の面に間隔を設け、かつ上記クランプ規制孔を含んだ前記側面で、しかも外方へ突出させて平行に固定したクランプ軸取付け板を設けたクランプ装着部と、該クランプ軸取付け板に前記貫通孔に挿入された前記引き抜く杭の杭頭部分の外周壁を接触端で外部からの紐状物の操作により開閉可能に挟持し、かつ上記紐状物を係止して前記杭軸心に対して左右対称に配置したクランプと、前記カバー兼補強角筒体の側壁上端縁の中心部の左右に下端を固定し先端に向かって間隔が狭くなる櫓状で前記紐状物も案内するチャンネル体とを一体に固定したことを特徴とする埋設杭を引き抜く治具。
【請求項２】
前記ガイド円筒体は下端開口部から上端面中心部に設けた貫通孔の円周縁に向かって該ガイド円筒体の内部空間において、下端、または下端開口部の幾分上方の位置から上端面に向かってガイド板の配列を円錐形、または３角錐形から８角錐のいずれかの頭部を裁断した裁頭ガイド空間を形成したことを特徴とする請求項１に記載の埋設杭を引き抜く治具。
【請求項３】
前記クランプは、前記クランプ軸取付け板間に軸を介して離脱無く支承された本体と、該本体の前記杭の軸心側の側面端部に杭円周壁面と接触する先端接触面を設けると共に、該先端接触面近傍の上端面に前記クランプの杭頭部分の挟持から解徐する紐状物のクランプ解除取付け部を設け、かつ該クランプ解除取付け部の反対端で前記カバー兼補強角筒体から外部に突出させた他端である上端面に上記クランプが前記埋設杭の頭部分の円周壁面を挟持するように操作する紐状物のクランプ閉鎖取付け部を形成したことを特徴とする請求項１、または２に記載の埋設杭を引き抜く治具。
【請求項４】
前記紐状物がワイヤーで引き抜き機の引っ張りに耐える強度を有し、かつ前記クランプに連結した際に該クランプを介してリング状を形成し、その上、前記チャンネル体の高さより上記リング状の頂点が高い位置となる長さとしたことを特徴とする請求項１〜３に記載のいずれか１項に記載の埋設杭を引き抜く治具。
【考案の詳細な説明】
【技術分野】
【０００１】        本考案は、例えば建設跡地の地盤整備で地中に埋設された埋設杭、例えば既成コンクリート杭、鋼管杭、松杭等を引き抜く際に埋設杭をクレーン等の杭引き抜き機のフックと埋設杭頭部間に着脱自在に装着する埋設杭を引き抜く治具に関する。
【背景技術】
【０００２】        従来から、建設跡地の地盤整備では、例えば埋設された埋設杭を引き抜き機で引き抜き、この引き抜いた杭を別の載置場所まで杭を吊り移動するような作業が行われている。この際、一般的に埋設杭の外周壁面の土を軟らかくし、埋設杭外周壁面の全長に亘りビット付きケーシングで水を供給しながら回転させ、埋設杭の外周壁と接触している土の摩擦を低減させるように掘削する。次ぎに、この掘削後の埋設杭の約１から２ｍ位の頭部分の外周壁面にリング状にワイヤーを作業員が玉掛けし、このワイヤーをクレーン、バックホー等でゆっくり引き上げ、埋設杭を引き抜くことが行われている。さらに引き抜いた埋設杭は、吊った状態で方向変して所定の杭置き場に移動し、地盤等に載置した後、この吊り下げた埋設杭の玉掛けを作業員がワイヤーを外す方式が採用されていた。【０００３】        また、作業員が直接に行わず引き抜き機のワイヤーの先端のフックに玉掛け用ワイヤーを取付けたケーシングで引き抜き杭の頭部分に玉掛けする方法も提案されている。さらに、いずれの方法も、吊り下げた埋設杭を移動し、所定の杭載置場所では、前記したような強度のある玉掛けされたワイヤーを杭の外周壁面から取り外す作業がある。
【考案の開示】
【考案が解決しようとする課題】
【０００４】      しかしながら、従来の玉掛け方式では、剛性のあるワイヤーの巻き付け作業を人間が行うため巻き付けに時間が掛るのと剛性のため屈曲時の弾力性で怪我する危険性があり、しかも埋設杭の外周壁の周囲は水を使用して掘削するため、泥水状態か、軟弱地盤となり作業員が沈み込み足場が不安定で玉掛けに多数の時間を要し、コストアップとなる経済的な不利があった。さらに、埋設杭外周壁近傍の地盤が軟弱であたり、崩落する危険性が多々、存在する悪作業環境となるなどの安全性に欠ける最大の課題があった。【０００５】        また、ケーシングによる玉掛け方式では、作業現場によって使用できない場合も多々あり、その上、玉掛けに熟練を要する難点もあった。【０００６】      さらに、杭載置場所での玉掛けしたワイヤーを引き抜いた杭の外周壁面から取り外す作業は、杭の重量があるためワイヤーが杭外周面で滑り落ちる等の危険も多くあり、慎重な作業が必要で、しかも安全のため慎重に作業する為に時間を多く必要とする経済的な不利があった。【０００７】        本考案は、埋設された埋設杭の頭部分に真上からゆっくりと所定位置まで単に落とし込み簡単に埋設杭の頭部分に案内挿入し、沈み込ませ、そこで外部から作業員が紐状物の操作で埋設杭の頭部分の適当な位置でクランプを作動させて埋設杭外周壁を挟持して、埋設杭を引き抜き機で吊り上げ、引き抜き、その後に所定の場所へ引き抜いた埋設杭を移動させて悪環境の埋設杭外周壁部分に作業員が一切立ち入らずに簡単で容易に、しかも短時間で、その上、安全に埋設杭を引き抜く治具（以下、単に杭を引き抜く治具という。）を提供することを目的としたものである。
【課題を解決するための手段】
【０００８】      このような課題を解決するため請求項１に記載の特徴は、地中の埋設杭を引き抜く治具において、引き抜く杭頭部分に下端開口部から上端面中心部に設けた貫通孔の周縁間に形成した前記埋設杭の頭部分を案内挿入するガイド円筒体と、該ガイド円筒体の上端面に上記貫通孔を含む大きさに形成し、かつ左右の側壁中心部に対称に配設したクランプ規制孔を有するカバー兼補強角筒体と、該カバー兼補強角筒体の左右の上記側壁中心部の外方の面に間隔を設け、かつ前記クランプ規制孔を含んだ前記側壁で、しかも外方へ突出させて平行に固定したクランプ軸取付け板を設けたクランプ装着部と、該クランプ軸取付け板に前記貫通孔に挿入された前記引き抜く杭の杭頭部分の外周壁を先端接触面で外部からの紐状物の操作により開閉可能に挟持し、かつ上記紐状物を係止して前記杭軸心に対して左右対称に配置したクランプと、前記カバー兼補強角筒体の側壁上端縁の中心部の左右に下端を固定し、先端に向かって間隔が狭くなる櫓状で前記紐状物も案内するチャンネル体とを一体に固定した構成としたことである。【０００９】      請求項２に記載の特徴は、請求項１に加え、前記ガイド円筒体の下端の開口部から上端面中心部に設けた貫通孔の円周縁間に形成した該ガイド円筒体の内部空間において、下端、または下端開口部の幾分上方の位置から上端面の裏面に向かってガイド板の配列を円錐形、または３角錐形から８角錐のような多角錐の頭部を裁断した裁頭ガイド空間を形成するように配設固定し、埋設杭のガイド筒体の裁筒ガイド空間への案内を確実に、しかも簡単、容易でスムーズに挿入するようにしたことである。【００１０】      請求項３に記載の特徴は、請求項１または２に加え、前記クランプを前記取付け板間に軸を介して離脱無く支承された本体と、該本体の前記杭の軸心側の側面端部に杭円周壁面と接触する先端接触面を設けると共に、該接触面近傍の上端面に前記クランプの杭頭部における挟持からのクランプの挟持を解徐する紐状物端部を装着するクランプ解除取付け端部を設け、かつ該クランプ開場取付け部の反対端で前記カバー兼補強角筒体から外部に突出させた他端である上端面に上記クランプが前記埋設杭の杭頭部分の円周壁面を挟持するように操作する紐状物端部を装着するクランプ閉鎖取付け部を形成したことである。【００１１】      請求項４に記載の特徴は、請求項２，３に加え、前記紐状物がワイヤーで引き抜き機の引っ張りに耐える強度を有し、かつ前記クランプに連結した際に該クランプを介してリング状を形成し、その上、前記チャンネル体の高さより上記リング状の頂点が高い位置となる長さとしたことである。
【考案の効果】
【００１２】        本考案に係る杭を引き抜く治具は、解体された建築物の跡地に存在する埋設杭を引き抜き、引き抜いた埋設杭を所定の杭置き場まで移動し地面に載置する際、まずクレーン等の杭引き抜き機のワイヤーの先端のフック等で引き抜く治具における上記埋設杭の外周壁を着脱自在に挟持するクランプを解徐状態とする方の紐状物を吊り上げ、埋設杭の頭部真上から吊り降ろし、押し込み埋設杭にガイド円筒体の裁頭ガイド空間へ簡単、確実に、しかも容易に案内挿入でき、しかも上記埋設杭の杭頭部分の適宜位置で、クランプに係止したもう一つの挟持用の紐状物を外部から操作して埋設杭の外周壁をクランプの内側にある先端接触面が相互に挟持し、クレーンを引き上げると埋設杭の引き抜き作業まで一貫して引き抜き機の操作と外部からクランプの開閉操作を行えるようにし、作業員が埋設杭外周壁近傍の危険な作業現場に立ち入ることも無く、しかも杭引き抜き時間が従来の約半分以下に短縮でき、作業能率のアップと大幅なコストダウンが図れる特徴がある。【００１３】      また、引き抜いた埋設杭を吊ったまま、所定置き場所まで引き抜き機で移動し、所定位置で止まり、埋設杭を吊り下げて横にし、クランプ解除用の紐状物を引き上げればワンタッチで、本考案に係る杭を引き抜く治具から埋設杭を取り外すことができる。【００１４】      さらに、本考案に係る杭を引き抜く治具は、構成部材が少なく、簡単な構造であり、安価に製造できる特徴がある。【００１５】      しかも、埋設杭の直径が多種類あるため、埋設杭の直径にマッチした引き抜く治具を多種類用意しておけば、埋設杭の大きさに応じて引き抜く治具の交換は、単に引き抜き機の吊り上げる引き抜き治具の吊りを交換するだけで簡単に埋設杭の大きさに対応できるので同じ現場で数種類の異径の埋設杭でも短時間に、しかも容易に対応できる特徴がある。
【図面の簡単な説明】
【００１６】
【図１】本考案に係る杭を引き抜く治具の一実施例を示す（ａ）は正面図、（ｂ）は右側面図である。
【図２】本案に係る杭を引き抜く治具の一実施例を示す平面図である。
【図３】本考案に係る杭を引き抜く治具の一実施例を示す低面図である。
【図４】図２のＡ一Ａ線における断面図である。
【図５】図２のＢ一Ｂ線における断面図である。
【図６】本考案に係る杭を引き抜く治具の要部であるクランプの一実施例を示し、図（ａ）は正面図、図（ｂ）は右側面図、図（ｃ）は平面図である。
【図７】本考案に係る杭を引き抜き治具の一実施例における埋設既成コンクリート杭の引き抜き順序とその際のクランプ状態等を示す説明図、図（ａ）は地盤に埋設された埋設杭を示す説明図、図（ｂ）は本考案に係る前記引き抜く治具を該杭の真上まで引き抜き機等で移動した状態を示す説明図、図（ｃ）はこの時のクランプの開徐状態を抽出し、かつ拡大して示す説明図である。
【図８】本考案に係る杭を引き抜く治具の一実施例を示し、上記治具を埋設杭への挿入状態を示し、図（ａ）は全体的な関係を示す説明図、図（ｂ）はこの時のクランプと埋設杭の頭部分の挿入状態を抽出し、かつ拡大して示す説明図である。
【図９】本考案に係る杭を引き抜く治具の一実施例を示し、埋設杭の挿入とクランプの挟持状態を示し、図（ａ）は全体的な関係を示す説明図、図（ｂ）はこの時のクランプと埋設杭の頭部分の挟持状態を抽出し、かつ拡大して示す説明図である。
【図１０】本考案に係る杭を引き抜く治具の一実施例を示し、引き抜き機に引き抜き治具を介して係止され吊り下げられている引き抜いた埋設杭を所定の杭置き場に横に載置した状態と、その時のクランプの状態を示し、図（ａ）は全体的な関係を示す説明図、図（ｂ）はこの時のクランプと埋設杭の頭部分の解除状態を抽出し、かつ拡大して示す説明図である。
【考案を実施するための形態】
【００１７】          以下に、本考案に係る杭を引き抜く治具の一実施例の形態につき図面を用いて詳細に説明する。即ち、図１（ａ）は本考案に係る引き抜く治具の全体を示す正面図、（ｂ）は右側面図であり、１は引き抜く治具で埋設杭２の頭部分を着脱自在に挟持し、杭を引き抜く治具であり、ガイド円筒体２の上端面に設けたカバー兼補強角筒体１０と該カバー兼補強角筒体１０の外側壁に設けたクランプ装着部１４とクランプ装着部１４に回動可能に支承したクランプ１７とクランプ１７の開閉を外部から操作する紐状物２５とカバー兼補強角筒体１０の外壁中心部に固定し、紐状物２５を案内すると共に、引き抜き機で治具全体を埋設杭外周面に押圧する機能も兼備するチャンネル体２６を一体に構成したものである。
【００１８】        さらに、詳しく説明すると、図１，２、３及び、図４，５に示すようにガイド円筒体３は下端開口部４の下端５と中心部に埋設杭の頭部分を通す貫通孔６を穿設した上端面７とガイド板８で形成した裁頭ガイド空間９とから構成したものである。なお、裁頭ガイド空間９は円錐、三角錐、多角錐の頭部を裁断した形状とし、埋設杭の頭部に杭を引き抜く治具が簡単に挿入し易いようにガイド板８を下端開口部４から貫通孔６の内側円周縁６ａに一体に固定した空間である。また、この裁頭ガイド空間９の始端９ａは図４に示すように下端開口部４の下端５から幾分上方の位置として、埋設杭頭部を案内する面積を大きくとる。勿論、図示しないが下端５を裁頭ガイド空間９の始端とすることもできる。
【００１９】        カバー兼補強角筒１０は、図１，２及び、図４，５に示すようにガイド円筒体３の上端面７の中央部分に穿設した貫通孔６を中心部に含んで例えば、４角筒に形成し、対称となる左右の側壁１１，１２の中央部の外面１１ａ，１２ａにクランプ装着部１４を固定する。なお、側壁１１，１２のクランプ１８と対面する部分にクランプ１７の内側端が埋設コンクリート杭２の外周壁２ａと接触すると共に、挟持し、或いは接触を解除するために可動し、しかもクランプの可動範囲を規制する機能も有するクランプ規制孔１３を図１（ｂ）、図４、及び図５に示すように設ける。
【００２０】        また、クランプ装着部１４は、図１（ｂ）、図２、及び図４に示すようにクランプ軸取付け板１５と軸受け１６とからなり、クランプ軸取付け板１５はカバー兼補強角筒１０の側面１１，１２の中心から左右方向にクランプ１７の本体１８の幅以上の間隔で、かつ平行に、しかも外方へ突出させて一体に固定したものである。
【００２１】        前記クランプ１７は、図１（ｂ）、図４，５に示すように杭を引き抜く治具１の中心の縦軸に対して対称に上記クランプ軸取付け板１５に左右それぞれ装着したものである。その具体的な構成は、例えば、図６（ａ）〜（ｃ）にクランプ１７のみ抽出して示すように本体１８と本体１８の中央部に穿設した軸孔１９と取付け軸２０とからなり、本体１８の上端面１８ａの一端側にクランプ解除紐取付け部２３，他端側にクランプ閉鎖紐取付け部２４を設け、しかも上記各端部２２，２３には図６（ｂ）に示すように紐状物２５を装着する取付け孔２３ａ、２４ａを穿設する。
【００２２】        また、クランプ１７の内側の端面、所謂、先端接触面２２は図６（ｂ）、（ｃ）に示すように埋設杭２の外周壁面２ａにほぼ対応するような彎曲面２２ａに形成したものであり、クランプ１７で埋設杭２の外周壁面２ａの彎曲面に対応させ、クランプ１７で、この外周壁面２ａを挟持した際に離脱無く、確実に挟持する形状である。勿論、先端接触面２２の全体面が外周壁面２ａと接触する場合と、先端接触面２２の部分的に接触する場合でも挟持できるものである。
【００２３】        紐状物２５は、例えばワイヤー等であり、杭引き抜き機のワイヤーの先端に設けたフック等に係止し、かつ上記したクランプ１７の開閉を遠隔的に外部から操作する機能と、埋設杭を引き抜き、この埋設杭２を吊り上げて所定の場所まで運搬する機械強度があるものでる。
【００２４】        前記チャンネル体２６は図１、図２、図４及び、図５に示すように下端２７から上端である先端２８に向かって細くなる櫓的形状で断面が樋状に形成したチャンネルであり、下端２７はカバー兼補強角筒１０でクランプ装着部１４のクランプ軸取付け板１５間の側壁上端縁１０ａに固定したものである。また、樋状の断面は紐状物２５を案内する役目もある。さらに、チャンネル体２６は引き抜き治具１を埋設杭１の頭部分に挿入するとき、杭引き抜き機で押し込むこともあり、その強度を有することが好ましいものである。
【００２５】        次ぎに本考案に係る杭を引き抜く治具１を使用して例えば既成コンクリート杭をクレーン、バックホー等の図示しない引き抜き機で杭を引き抜く作業を行う際の動作について簡単に説明する。まず、図１，図２に示すような上記杭を引き抜く治具１を使用して、例えば、建設跡地に約３０本の埋設杭２、例えば直径が３２０ｍｍで長さ４ｍの杭が図７（ａ）に示すように地盤２９に埋設されていると仮定する。そこで、引き抜き機に本考案に係る杭を引き抜く治具１の紐状物２５のクランプ１７を解徐状態にして杭を引き抜く治具１を吊り上げるクランプ解除取付け部２３の紐状物の取付け孔２３ａにフックに係止された紐状物２５の紐状物２５ａを上記引き抜き機等のフックで吊り上げ、移動して図７（ｂ）に示すように埋設杭２の真上で止める。この際、クランプ１７の先端接触面２２は図７（ｃ）に示すように当然、解除した位置にある。
【００２６】        そこで、引き抜き機のワイヤーを引き下げ、図８（ａ）に示すように杭を引き抜く治具１のガイド円筒体３の軸心を合致させて裁頭ガイド空間９を埋設杭２の頭部先端から、埋設杭２の頭部分、例えば約１，５〜２ｍ位に自重、または引き抜き機の先端部分で押圧して所定深さまで挿入する。なお、埋設杭２の円筒外周壁２ａと接触している地盤２９は、水を使用して掘削されており、軟弱地盤となっている。この時のクランプ１７の状態は、図８（ｂ）に示すように地盤の泥水等でクランプ１７に圧力が付加されて埋設杭２の外周壁面２ａに、単に接触している状態となる。
【００２７】          次ぎに、作業員が外部から図９（ａ）に示すように紐状物２５のクランプ１７の先端接触面２２を閉塞する紐状物２５ｂを矢印方向に引いて、先端接触面２２を相互に引き寄せ、クランプ１７を閉塞させ埋設杭２の直径となる外周壁面２ａを挟持する。この時のクランプ１７の状態は、図９（ｂ）に示すように埋設杭２の外周壁面２ａに食い込む程度で接触し、クランプ１７が離脱すること無く挟持する状態とする。
【００２８】        そこで、埋設杭２の頭部分を挟持した状態で、引き抜き機を図９（ａ）の状態で紐状物２５ｂの先端部に引き抜き機のフックを掛け、次ぎに引き抜き機のフックを上昇させ、埋設杭２を地盤２９から引き抜く。次ぎに、引き抜いた埋設杭２を吊したまま、引き抜き機を移動させ、杭載置場所で図１０（ａ）に示すように横に置き、そこで、作業員、若しくは引き抜き機で外部から紐状物２５ａを矢印方向に引きクランプ１７の先端接触面２２を図１０（ｂ）に示すように解除状態にすることで引き抜き作業は終了し、この杭を引き抜く治具１を引き抜き機で吊り上げて次の埋設杭の位置まで移動して前記したような工程を繰り返せば、建設跡地の埋設杭の引き抜きが完了する。
【００２９】        以上説明したのは、本考案に係る杭を引き抜く治具の一実施例にすぎず、ガイド円筒体３とカバー兼補強部１０を、またはカバー兼補強部１０とクランプ装着部１４を一体物で形成することもできる。また、紐状物２４の端部に着脱容易なフック構造物を一体に設けることもできる。さらに、チャンネル体２５は、汎用品のＣ型鋼を溶接で一体に櫓状に形成すること、若しくは図示しないがチャンネル体２６の解放口の適宜間隔の位置に紐状物２５の案内を兼ねるガイド片を複数個、開閉できるように装着することも可能である。その他、クランプ１７の先端接触端面２２を金属製の硬質層、ゴム、合成ゴム等の軟質層２層に形成することもできる。
【符号の説明】
【００３０】１      埋設杭引き抜く治具
２      埋設杭
３      ガイド円筒体
４      下端開口部
５      下端
６      貫通孔
８      ガイド板
９      裁頭ガイド空間
１０    カバー兼補強角筒体
１３    クランプ規制孔
１４    クランプ装着部
１５    クランプ軸取付け板
１６    軸受け
１７    クランプ
１８    本体
２０    取付け軸
２２    先端接触面
２３    クランプ解除紐取付け部
２４    クランプ閉鎖紐取付け部
２５    紐状物
２６    チャンネル体
【図１】
0003167087.tif 000003
【図２】
0003167087.tif 000004
【図３】
0003167087.tif 000005
【図４】
0003167087.tif 000006
【図５】
0003167087.tif 000007
【図６】
0003167087.tif 000008
【図７】
0003167087.tif 000009
【図８】
0003167087.tif 000010
【図９】
0003167087.tif 000011
【図１０】
0003167087.tif 000012